(57)【要約】【課題】長さが長い開閉蓋部材の開閉動作をスムーズに行うことができ、開閉蓋部材が閉止する際のバウンドを防止でき、開閉蓋部材の閉止時のバタツキを確実に防止できるパチンコ遊技機を提供する。【解決手段】第２大入賞口装置１４は、盤面４ｃと直交する軸回りに開閉動作する開閉蓋部材２１と、この開閉蓋部材２１を開閉駆動する駆動手段２９と、開閉蓋部材２１の下端部を回動自在に枢支する枢支軸２５と、枢支軸２５に対して開閉蓋部材２１と反対側へ開閉蓋部材２１の下端から延びる腕部２４の先端部に設けられた錘部材２２とを備え、錘部材２２により開閉蓋部材２１が閉位置の方へ付勢され、開閉蓋部材２１が所定の閉止位置で静止する。【選択図】図３
2010088601.tif 000002
【特許請求の範囲】
【請求項１】
遊技盤と、センタ役物と、大入賞口を開閉する大入賞口装置とを備えたパチンコ遊技機において、
前記大入賞口装置は、
遊技盤の盤面と直交する軸回りに開閉動作する開閉蓋部材と、
この開閉蓋部材を開閉駆動する駆動手段と、
前記開閉蓋部材の下端部又は下端近傍部を遊技盤に回動自在に枢支し且つ盤面と直交する枢支軸と、
前記枢支軸に対して開閉蓋部材と反対側へ開閉蓋部材の下端から延びる腕部の先端部に設けられた錘部材とを備えた、
ことを特徴とするパチンコ遊技機。
【請求項２】
前記錘部材は装飾部材とこの装飾部材に固定した錘とからなることを特徴とする請求項１に記載のパチンコ遊技機。
【請求項３】
前記錘部材は装飾部材からなることを特徴とする請求項１に記載のパチンコ遊技機。
【請求項４】
前記大入賞口装置はセンタ役物の左側部に配置され、
前記開閉蓋部材は、ほぼ縦向きの閉位置と、この閉位置から反時計回り方向へ所定角度回動した開位置とに回動するように構成されたことを特徴とする請求項１〜３の何れかに記載のパチンコ遊技機。
【発明の詳細な説明】
【技術分野】
【０００１】
本発明は、大入賞口を開閉する開閉部材を有する大入賞口装置を備えたパチンコ遊技機に関するものである。
【背景技術】
【０００２】
従来、パチンコ遊技機として、「羽根モノ」と呼ばれる第２種パチンコ機に分類されるパチンコ遊技機が知られている。このパチンコ遊技機は、開閉動作を行う開閉部材（開閉羽根）を有する可変入賞役物装置を備えている。始動入賞口への遊技球の入賞を契機として開閉羽根が開閉動作して入賞口が開閉され、開閉羽根が閉位置のとき入賞口は閉塞され、開閉羽根が開位置のとき入賞口は開放される。
【０００３】
例えば、特許文献１には、遊技盤の盤面の中央領域に可変入賞役物装置が配置された遊技機が開示されている。この可変入賞役物装置は、左側部と右側部に遊技盤の盤面と直交する軸回りに開閉動作する左右対称形状の１対の開閉羽根と、これら開閉羽根を開閉駆動するソレノイドアクチュエータを有する。ソレノイドアクチュエータに通電して駆動すると、１対の開閉羽根が入賞口を開放する開位置に移動し、ソレノイドアクチュエータへの通電を停止すると、開閉羽根が開位置から入賞口を閉塞する閉位置に移動する。
【０００４】
他方、近年、第１種パチンコ機に分類されるパチンコ遊技機には、センタ役物と、特別図柄を変動表示する特別図柄表示手段と、遊技盤に別個独立に配設された第１，第２大入賞口を夫々開閉する第１，第２大入賞口装置とが設けられている。第１大入賞口装置は、センタ役物よりも下側に設けられ、盤面と平行方向の水平な軸回りに開閉動作する第１開閉部材と、第１開閉部材を開閉駆動する駆動手段を有する。第２大入賞装置は、センタ役物の左側部に設けられ、盤面と直交する軸回りに開閉動作する第２開閉部材と、第２開閉部材を開閉駆動する駆動手段を有する。
【０００５】
始動入賞口に遊技球が入賞すると、特別図柄表示手段で特別図柄が所定時間変動表示され、始動入賞口への遊技球の入賞を契機とする抽選により大当りに当選した場合、特別図柄が大当り態様で停止表示される。このとき、その大当り態様の種類に応じて、第１，第２開閉部材の何れかが開閉動作を行い、第１，第２大入賞口が開閉される。
【特許文献１】特開２００８−１１３７４７号公報
【発明の開示】
【発明が解決しようとする課題】
【０００６】
上述した開閉部材が盤面と直交する軸回りに開閉動作するパチンコ遊技機においては、特に、長さが長い開閉部材は、合成樹脂材料で軽量に構成されているものが多い。そのため、ソレノイドアクチュエータへの通電を停止して、開閉部材が開位置から閉位置に移動するときガタつく虞がある。また、開閉部材が閉止するとき、開閉部材が閉止位置で静止せずにバウンドしてバタツクという問題がある。その結果、開閉部材がバタツクことで見た目が悪くなると共に、開閉部材が動作不良を起しているのではないかという誤解を招く虞がある。
【０００７】
本発明の目的は、開閉蓋部材の開閉動作をスムーズに行うことができ、開閉蓋部材が閉止する際のバウンドを抑制し、開閉蓋部材の閉止時のバタツキを防止できるパチンコ遊技機を提供することである。
【課題を解決するための手段】
【０００８】
上記目的を達成するために本発明は以下のような構成を採用した。尚、括弧内の参照符号は、本発明の理解を助けるために図面との対応関係の一例を示したものであり、本発明の範囲を何ら限定するものではない。
請求項１のパチンコ遊技機は、遊技盤(4) と、センタ役物(17)と、大入賞口(14a) を開閉する大入賞口装置(14)とを備えたパチンコ遊技機(1)である。大入賞口装置(14)は、遊技盤(4)の盤面(4c)と直交する軸回りに開閉動作する開閉蓋部材(21,21A)と、この開閉蓋部材(21,21A)を開閉駆動する駆動手段(29)と、開閉蓋部材(21,21A)の下端部又は下端近傍部を遊技盤(4)に回動自在に枢支し且つ盤面(4c)と直交する枢支軸(25)と、枢支軸(25)に対して開閉蓋部材(21,21A)と反対側へ開閉蓋部材(21,21A)の下端から延びる腕部(24)の先端部に設けられた錘部材(22)とを備えている。
【０００９】
このパチンコ遊技機(1) においては、駆動手段(29)により、開閉蓋部材(21,21A)が大入賞口(14a) を開放する開位置と大入賞口(14a) を閉塞する閉位置とに亙って開閉動作し、錘部材(22)により開閉蓋部材(21,21A)を閉位置の方へ付勢する回転モーメントが働くので、開閉蓋部材(21)が所定の閉止位置で静止する。
【００１０】
請求項２のパチンコ遊技機は、請求項１の発明において、錘部材(22)は装飾部材(22a) とこの装飾部材(22a)に固定した錘(22b) とからなることを特徴としている。
請求項３のパチンコ遊技機は、請求項１の発明において、錘部材(22)は装飾部材(22a) からなることを特徴としている。
【００１１】
請求項４のパチンコ遊技機は、請求項１〜３の発明において、大入賞口装置(14)はセンタ役物(17)の左側部に配置され、開閉蓋部材(21)は、ほぼ縦向きの閉位置と、この閉位置から反時計回り方向へ所定角度回動した開位置とに回動するように構成されたことを特徴としている。
【発明の効果】
【００１２】
請求項１の発明によれば、大入賞口装置は、開閉蓋部材と、駆動手段と、開閉蓋部材を回動自在に枢支する枢支軸と、枢支軸に対して開閉蓋部材と反対側へ開閉蓋部材の下端から延びる腕部の先端部に設けられた錘部材とを備えたので、錘部材により開閉蓋部材を閉位置の方へ付勢する回転モーメントが働くため、開閉蓋部材の閉動作をスムーズに行うことができる。
【００１３】
また、錘部材により開閉蓋部材の下端部又は下端近傍部の枢支軸よりも下側が重くなり、開閉蓋部材が閉位置の方へ付勢されるので、開閉蓋部材が閉止する際のバウンドを防止でき、開閉蓋部材を所定の閉止位置で静止させることができる。それ故、開閉蓋部材の閉止時のバタツキを確実に防止することができる。
【００１４】
特に、長さが長い開閉蓋部材の場合、錘部材により、開閉蓋部材がガタつくことなく開閉動作をスムーズに行うことができる。また開閉蓋部材が閉止する際のバウンドを確実に防止でき、開閉蓋部材の閉止時のバタツキを確実に防止することができる。
【００１５】
請求項２の発明によれば、錘部材は装飾部材とこの装飾部材に固定した錘とからなるので、請求項１と同様の効果を奏する。
請求項３の発明によれば、錘部材は装飾部材からなるので、請求項１と同様の効果を奏する。
【００１６】
請求項４の発明によれば、大入賞口装置はセンタ役物の左側部に配置され、開閉蓋部材は、ほぼ縦向きの閉位置と、この閉位置から反時計回り方向へ所定角度回動した開位置とに回動するように構成されたので、開閉蓋部材がほぼ縦向きに閉止する際のバウンドを防止することができ、開閉蓋部材の閉止時のバタツキを確実に防止することができる。
【発明を実施するための最良の形態】
【００１７】
本実施例は、遊技盤と、センタ役物と、大入賞口を開閉する大入賞口装置とを備えたパチンコ遊技機に、本発明を適用した場合の一例である。
以下、本発明を実施するための最良の形態について実施例に基づいて説明する。
【実施例】
【００１８】
図１、図２に示すように、第１種パチンコ機に分類されるパチンコ遊技機１には、パチンコホールの島構造体に取り付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。この透明板３ｂを通して外部から遊技領域５を見ることができる。
【００１９】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００２０】
図２に示すように、鉛直な盤面４ｃを形成する遊技盤４には、多数の障害釘１０、始動入賞口装置１１、ゲート１２、第１大入賞口装置１３、第２大入賞口装置１４、普通入賞口１５、画像表示器１６、センタ役物１７が遊技領域５に装着され、遊技領域５外に遊技表示盤１８が装着され、遊技盤４の裏側に制御装置２０（図７参照）が装着されている。遊技盤４は、盤面４ｃを形成する表面板４ａと、この表面板４ａの裏側に配設される合板からなる遊技盤本体部４ｂとから構成されている（図５参照）。
【００２１】
遊技領域５の頂部に投入された遊技球Ｐは、遊技領域５の多数の障害釘１０や風車１０ａに当たって方向を変えながら落下して、始動入賞口装置１１の始動入賞口１１ａ、１１ｂ、ゲート１２、第１大入賞口装置１３の第１大入賞口１３ａ、第２大入賞口装置１４の第２大入賞口１４ａ、複数の普通入賞口１５の何れかに入賞して遊技領域５外へ排出されるか、最下端まで落下してアウト口１９から遊技領域５外へ排出される。
【００２２】
図２に示すように、始動入賞口装置１１は、センタ役物１７の下側に配置され、電チューと呼ばれる左右１対の開閉部材を備えた電動式チューリップ型役物を含む構成であり、ゲート式の上始動入賞口１１ａと、開閉式の下始動入賞口１１ｂ、下始動入賞口１１ｂを開閉する開閉部材１１ｃ、始動入賞口１１ａ、１１ｂに入賞した遊技球Ｐを検出する始動口ＳＷ１１ｄ、開閉部材１１ｃを開閉駆動する電チューソレノイドを有する。開閉部材１１ｃは、左右対称形状の２つの短い羽根部材が盤面４ｃと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。尚、図２の点線で示す開閉部材１１ｃは閉塞位置にある。
【００２３】
ゲート１２はセンタ役物１７の左側に配置され、このゲート１２を通過した遊技球Ｐを検出するゲートＳＷが付設されている。ゲート１２を遊技球Ｐが通過することを契機とする抽選により当選した場合に、始動入賞口装置１１が作動して、通常は閉塞の下始動入賞口１１ｂを開閉するように開閉部材１１ｃを開閉動作させる。
【００２４】
第１大入賞口装置１３は、始動入賞口装置１１の下側に配置され、第１大入賞口１３ａ、第１大入賞口１３ａを開閉する開閉部材１３ｂ、第１大入賞口１３ａに入賞した遊技球Ｐを検出する第１大入賞口ＳＷ１３ｃ、開閉部材１３ｂを開閉駆動するソレノイドアクチュエータ１３ｄを有する。開閉部材１３ｂは、盤面４ｃと平行方向の水平な軸回りに動作するように構成され、閉位置で第１大入賞口１３ａを閉塞して第１大入賞口１３ａへの遊技球Ｐの入賞を不可能にし、開位置で第１大入賞口１３ａへの遊技球Ｐの入賞を可能にする。尚、図２の開閉部材１３ｂは開位置にある。
【００２５】
遊技表示盤１８は、遊技領域５の下側の右側領域に前方へ向けて配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａでは、始動入賞口１１ａ，１１ｂへの遊技球Ｐの入賞を契機に行われる抽選の結果が変動表示後に表示され、普通図柄表示器１８ｂでは、ゲート１２を遊技球Ｐが通過することを契機に行われる抽選の結果が変動表示後に表示される。
【００２６】
特別図柄表示器１８ａの変動表示中に、始動入賞口１１ａ，１１ｂに入賞した入賞球の個数であって、特別図柄の変動が未だ実行されていない保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未だ実行されていない保留数が最大で４つまで保留され、普通図柄保留ランプ１８ｄには、その普通図柄の保留数が表示される。
【００２７】
画像表示器１６は、液晶ディスプレイ（ＬＣＤ）からなり、枠状のセンタ役物１７内に装着されている。この画像表示器１６には、例えば、図２に示すように３つの図柄列からなる演出図柄が表示される。この演出図柄は、リーチや大当りに対する遊技者の期待感を喚起するために演出目的で表示されるものである。遊技者は、この演出図柄の停止態様を見て特別図柄表示器の特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００２８】
図２に示すように、遊技盤４の盤面４ｃの中央部に略円形領域にセンタ役物１７が配置され、このセンタ役物１７を囲繞する外周部として、左側仕切り部１７ａと、下側仕切り部１７ｂと、右側仕切り部１７ｃと上側仕切り部１７ｄとが設けられている。センタ役物１７の左側仕切り部１７ａの中段部には、第２大入賞口１４ａを開閉する第２大入賞口装置１４が設けられている。
【００２９】
次に、第２大入賞口装置１４について詳しく説明する。
図３〜図６に示すように、第２大入賞口装置１４は、上下方向に細長い第２大入賞口１４ａと、遊技盤４の盤面４ｃと直交する軸回りに開閉動作する開閉蓋部材２１と、開閉蓋部材２１を開閉駆動する駆動機構２３と、開閉蓋部材２１を回動自在に枢支する枢支軸２５と、枢支軸２５に対して開閉蓋部材２１と反対側へ腕部２４に設けられた錘部材２２とを備えている。
【００３０】
第２大入賞口１４ａには、第２大入賞口１４ａに入賞した遊技球Ｐを検出する第２大入賞口ＳＷ１４ｆが付設されている。第２大入賞口１４ａの前面は、第２大入賞口１４ａに入賞した遊技球Ｐが前側（透明板３ｂ方向）に飛び出さないようにカバー体３１で覆われている。第２大入賞口１４ａに入賞した遊技球Ｐは、遊技球流入口（図示略）に流入し、第２大入賞口ＳＷ１４ｆで検出後、遊技盤４の裏側に設けられた遊技球払い出し通路（図示略）に誘導される。
【００３１】
開閉蓋部材２１は、その下端部に盤面４ｃと直交する枢支軸２５を有し、この枢支軸２５を遊技盤本体部４ｂに固定した合成樹脂製の軸受け部材３０に回動自在に装着することで、開閉蓋部材２１が図３〜５に示す閉位置と、図６に示す開位置とに亙って位置切換え自在に構成されている。開閉蓋部材２１が閉位置のとき第２大入賞口１４ａが塞がれ、開位置のとき第２大入賞口１４ａが開放される。
【００３２】
開閉蓋部材２１は、合成樹脂製であり、その前面の意匠板２１ａと、この意匠板２１ａに一体成形された蓋本体部２１ｂとを有する。蓋本体部２１ｂは、盤面４ｃと直交する方向に所定の幅を有し、軽量化し慣性モーメントを小さくして開閉動作の応答性を高めるため、例えば合成樹脂材料で中空に構成されている。
【００３３】
開閉蓋部材２１の前面の意匠板２１ａには、例えば「チャンス」の４文字の文字列が表示されている。なお、この前面に「チャンス」の４文字分の文字列の光透過窓を形成し、その内部の空洞部に１又は複数の発光ダイオード（ＬＥＤ）を設け、それら発光ダイオードを点灯又は点滅させることにより、前記の「チャンス」の４文字の文字列を発光又は点滅させるようにしてもよい。また、「チャンス」の４文字の文字列を意匠板２１ａの前面から所定高さで盛り上がる立体文字で構成してもよい。
【００３４】
開閉蓋部材２１が開位置のときの蓋本体部２１ｂの遊技球流入側の面は、平坦な案内面２１ｃに形成されている。図６に示すように、開閉蓋部材２１が開位置のとき、案内面２１ｃが右方下がり緩傾斜状になる。案内面２１ｃの水平に対する傾斜角は例えば１０〜２０度であるが、この傾斜角に限定されるものではない。
【００３５】
開閉蓋部材２１の下端の前端部には、枢支軸２５に対して開閉蓋部材２１と反対側へ開閉蓋部材２１の下端から所定長さ下方に延びるロッド状の腕部２４が固着されている。腕部２４の先端部には開閉蓋部材２１よりも重い所定重量を有する錘部材２２が設けられている。
【００３６】
錘部材２２は、腕部２４に固着された合成樹脂製の亀のキャラクターからなる装飾部材としてのギミック２２ａと、このギミック２２ａに固定した金属材料（例えば、鉛）で形成された球状の錘２２ｂとから構成されている。この錘部材２２により、開閉蓋部材２１の下端部の枢支軸２５よりも下側が重くなり、開閉蓋部材２１を閉位置の方へ付勢する回転モーメントが働く。
【００３７】
図４〜図６に示すように、開閉蓋部材２１を開閉駆動する駆動機構２３は、開閉蓋部材２１を枢支する枢支軸２５と一体のアーム部材２６と、このアーム部材２６と一体形成された作動ピン２７と、この作動ピン２７に係合された係合部材２８と、この係合部材２８を所定ストローク駆動可能な駆動手段としてのソレノイドアクチュエータ２９（第２大入賞口ソレノイド）とを有する。
【００３８】
前記枢支軸２５とアーム部材２６と作動ピン２７とは例えば合成樹脂又はアルミ合金やマグネシウム合金等の材料で一体成形されている。
前記枢支軸２５の前端部分は、開閉蓋部材２１の端部の嵌合穴３２に嵌合されて固着されている。枢支軸２５の後部は軸受け部材２６に挿通支持されて、遊技盤４の背面側に突出しており、その後端部に盤面４ｃと平行に所定長さ延びるアーム部材２６の基端部が一体的に固着され、アーム部材２６の先端部に作動ピン２７が一体的に形成され、この作動ピン２７はアーム部材２６よりも後方へ突出している。
【００３９】
ソレノイドアクチュエータ２９は、遊技盤４の後方に傾斜姿勢に配設され、その出力軸２９ａの軸心は、開閉蓋部材２１の閉位置のときの作動ピン２７の軸心と開位置のときの作動ピン２７の軸心とを結ぶ線と平行になっている。但し、この配置に限定される訳ではない。
【００４０】
ソレノイドアクチュエータ２９の出力軸２９ａの先端に例えば合成樹脂又はアルミ合金やマグネシウム合金等の材料で構成された係合部材２８が固着されている。この係合部材２８には、作動ピン２７の直径の約１．５倍の長さの長穴２８ａが出力軸３８ａの軸心と直交状に形成されている。そのため、開閉蓋部材２１が開閉する際に作動ピン２７が円弧軌跡を描くとき、作動ピン２７が長穴２８ａ内を動くから、ソレノイドアクチュエータ２９により作動ピン２７を円滑に駆動することができる。
【００４１】
図７に示すように、制御装置２０は、メイン制御装置４０とサブ制御装置４１とで構成されている。メイン制御装置４０は、メイン制御基板４１ａと、メイン制御基板４１ａに実装されたＣＰＵとＲＯＭとＲＡＭを備えている。サブ制御装置４１は、サブ制御基板として、払出制御基板４２、演出制御基板４３、画像制御基板４４、ランプ制御基板４５と、これら複数の制御基板４２〜４５に夫々実装されたＣＰＵとＲＯＭとＲＡＭを備えている。なお、演出制御基板４３は、ＲＴＣ（リアルタイムクロック）も実装されている。
【００４２】
メイン制御基板４０ａが、ゲートＳＷ１２ａ、始動口ＳＷ１１ｄ、第１大入賞口ＳＷ１３ｃ、第２大入賞口ＳＷ１４ｆ、普通入賞口ＳＷ１５ａから検出信号を受けて、また、払出制御基板４２から制御情報を受けて、電チューソレノイド１１ｅ、第１大入賞口ソレノイド１３ｄ、第２大入賞口ソレノイド２９、特別図柄表示器１８ａ、普通図柄表示器１８ｂ、特別図柄保留ランプ１８ｃ、普通図柄保留ランプ１８ｄを制御する。
【００４３】
払出制御基板４２は、メイン制御基板４０ａから制御情報を受けて、払出駆動モータ４６を駆動制御し、各入賞口１１ａ，１１ｂ，１３ａ，１４ａ，１５への遊技球Ｐの入賞１個について、各入賞口１１ａ，１１ｂ，１３ａ，１４ａ，１５毎に設定された数の入賞球が貯留皿６に払い出される。演出制御基板４３は、メイン制御基板４０ａから制御情報を受けて、また、演出ボタン９から入力信号を受けて、画像制御基板４４とランプ制御基板４５に夫々制御情報を出力する。
【００４４】
画像制御基板４４は、演出制御基板４３から制御情報を受けて、画像表示器１６とスピーカ４７を制御し、ランプ制御基板４５は、演出制御基板４３から制御情報を受けて、主に画像制御基板４４による制御に同期させて、枠ランプ３ｃと盤ランプ４８と可動役物４９を制御する。例えば、スピーカ４７と枠ランプ３ｃは開閉扉３に設けられ、盤ランプ４８と可動役物４９は遊技盤４の所定の箇所に設けられている。
【００４５】
以上説明した実施例のパチンコ遊技機について説明する。
メイン制御基板４０ａは、始動入賞口１１ａ，１１ｂへの遊技球Ｐの入賞を契機に行われる大当り抽選で当選した場合に、大当り遊技として、第１，第２大入賞口１３ａ，１４ａの一方を開放した後に規定入賞球数（例えば、１０個）の遊技球Ｐの入賞又は規定時間（例えば、３０秒間）の経過により第１，第２大入賞口１３ａ，１４ａの一方を閉塞して終了するラウンドを複数ラウンド（例えば、１５ラウンド）継続させるように第１，第２大入賞口装置１３，１４を制御する。
【００４６】
ソレノイドアクチュエータ２９に通電して駆動すると（励磁状態）、その出力軸２９ａに係合した係合部材２８が所定ストローク前進作動して、長穴２８ａと作動ピン２７を介してアーム部材２６と開閉蓋部材２１と腕部２４と錘部材２２とが図３〜図５に示す閉位置から図６に示す開位置まで枢支軸２５を中心に反時計回りに一体に回動して、開閉蓋部材２１が右方下がり緩傾斜状の姿勢になり第２大入賞口１４ａが開放されることになる。
【００４７】
一方、ソレノイドアクチュエータ３８への通電を停止すると（消磁状態）、係合部材２８が後退作動して、長穴３７ａと作動ピン２７を介してアーム部材２６と開閉蓋部材２１と腕部２４と錘部材２２とが図６に示す開位置から図３〜５に示す閉位置まで枢支軸２５を中心に時計方向回りに一体に回動して、開閉蓋部材２１がほぼ縦向きの姿勢となり第２大入賞口１４ａが閉塞されることになる。
【００４８】
開閉蓋部材２１が開位置から閉位置に移動するに際し、ギミック２２ａと錘２２ｂにより開閉蓋部材２１を閉位置の方へ付勢する回転モーメントが働くので、開閉蓋部材２１の閉動作がガタつくことなくスムーズに行われる。
【００４９】
また、開閉蓋部材２１が閉位置に閉止する際にバウンドすることがなく静止する。それ故、開閉蓋部材２１の閉止時のバタツキを確実に防止することができる。
【００５０】
次に、前記実施例を部分的に変更した変更例について説明する。
１〕実施例では、錘部材２２をギミック２２ａと錘２２ｂとで構成されたが、開閉蓋部材２１よりも重い所定重量を有する人や動物等のキャラクターからなる装飾部材としてのギミックのみで構成してもよい。
２〕錘２２ｂは、実施例の鉛等からなる球状のものに限定されるものではない。
【００５１】
３〕実施例では、開閉蓋部材２１を回動自在に枢支する枢支軸２５を開閉蓋部材２１の下端に設けたが、開閉蓋部材２１の下端近傍部に設けてもよい。
【００５２】
４〕図８，図９に示すように、開閉蓋部材２１Ａにおいて、蓋本体部２１ｄを１枚の板状部材で形成してもよい。この場合、蓋本体部２１ｄは、意匠板２１ａに一体成形され、盤面４ｃと直交する方向に所定の幅を有する。
【００５３】
５〕実施例の開閉蓋部材２１の形状及び大きさは、その一例として示したに過ぎず、その機能を損なわない範囲内で適宜変更してもよい。
６〕ソレノイドアクチュエータ２９は、通電により出力時軸が退入し、通電停止により出力軸が伸長する構造でもよい。ソレノイドアクチュエータ２９の代わりに、圧電アクチュエータや電動モータを採用してもよい。
【００５４】
７〕駆動機構２３は、実施例のものに限定されるものではなく、その他、リンク部材やリンク機構を介して開閉蓋部材２１を開閉駆動する構成のものであればよい。
８〕前記実施例では、第１種パチンコ遊技機に分類されるパチンコ遊技機１に本発明を適用したが、羽根モノと呼ばれる第２種パチンコ遊技機に本発明に適用してもよい。例えば、１対の開閉羽根を有する可変入賞口役物装置に適用してもよい。
【００５５】
８〕その他、当業者であれば、本発明の趣旨を逸脱することなく、前記実施例に種々の変更を付加した形態が実施可能であり、本発明はそのような変更形態を包含するものである。
【図面の簡単な説明】
【００５６】
【図１】本発明の実施例のパチンコ遊技機の正面図である。
【図２】遊技盤の正面図である。
【図３】遊技盤要部と開閉蓋部材と錘部材の斜視図である。
【図４】駆動機構を含む開閉蓋部材が閉位置のときの正面図である。
【図５】図４のＶ−Ｖ線断面図である。
【図６】駆動機構を含む開閉蓋部材が開位置のときの正面図である。
【図７】パチンコ遊技機の制御系のブロック図である。
【図８】変更形態に係る図６相当である。
【図９】図８のＩＸ−ＩＸ線断面図である。
【符号の説明】
【００５７】
１        パチンコ遊技機
４        遊技盤
４ｃ      盤面
１４      第２大入賞口装置
１４ａ    第２大入賞口
１７      センタ役物
２１、２１Ａ      開閉蓋部材
２２      錘部材
２２ａ    ギミック（装飾部材）
２２ｂ    錘
２４      腕部
２５      枢支軸
２９      ソレノイドアクチュエータ（駆動手段）
【図１】
2010088601.tif 000003
【図２】
2010088601.tif 000004
【図３】
2010088601.tif 000005
【図４】
2010088601.tif 000006
【図５】
2010088601.tif 000007
【図６】
2010088601.tif 000008
【図７】
2010088601.tif 000009
【図８】
2010088601.tif 000010
【図９】
2010088601.tif 000011